(57)【要約】【課題】リモコンからの光の検出と物体の接近検知とに関する受光センサの使用切替えを的確に行える撮像装置を提供する。【解決手段】ファインダ窓１０を有する撮像装置１Ａは、リモコン９０から射出される赤外光(第１の光)ＬＢの検出が可能な受光素子(受光センサ)１５２を備え、受光素子１５２近傍の発光素子(光源)から射出される赤外光(第２の光)に係る反射光の検出を受光素子１５２で行わせることによりファインダ窓１０に関する接眼検知(物体の接近検知)が可能である。ここで、アイピースキャップ７Ａの装着によりファインダ窓１０から進入する外光が遮断されている遮光状態とアイピースキャップ検出スイッチを用いて判定される場合には、受光素子１５２を上記第１の光に係る検出に使用する一方、遮光状態でないと判定される場合には、受光素子１５２を上記第２の光に係る検出に使用する。これにより、受光素子１５２の使用切替えを的確に行える。【選択図】図７
2009020328.tif 000002
【特許請求の範囲】
【請求項１】
リモートコントローラからの遠隔操作が可能な撮像装置であって、
(a)前記リモートコントローラに設けられた光源から前記遠隔操作に係る光として射出される第１の光の検出が可能な受光センサと、
(b)前記受光センサの近傍に設けられた光源から射出される第２の光に係る反射光の検出を前記受光センサで行わせることにより、前記受光センサに対する物体の接近を検知する接近検知手段と、
(c)撮影光学系を通った被写体光像をファインダ窓に導く光学ファインダ手段と、
(d)前記ファインダ窓から前記撮像装置内に進入する外光が所定の遮光手段により遮断されている遮光状態か否かを判定する遮光判定手段と、
(e)前記遮光判定手段において前記遮光状態であると判定される場合には、前記受光センサを前記第１の光に係る検出に使用する一方、前記遮光判定手段において前記遮光状態でないと判定される場合には、前記受光センサを前記第２の光に係る検出に使用する使用切替制御手段と、
を備えることを特徴とする撮像装置。
【請求項２】
請求項１に記載の撮像装置において、
前記所定の遮光手段は、
前記撮像装置に対して着脱可能で前記ファインダ窓を外部から覆う遮光部、
として構成されることを特徴とする撮像装置。
【請求項３】
請求項２に記載の撮像装置において、
前記遮光部は、
前記第１の光を前記遮光部の内部に入射させる入射窓と、
前記入射窓から入射した第１の光を、前記遮光部の外部に出射させる出射窓と、
前記入射窓から入射した第１の光を前記出射窓に導く光学系と、
とを有し、
前記遮光部が前記撮像装置に装着された場合には、前記入射窓に入射した第１の光が、前記出射窓から前記ファインダ窓の近傍に設けられた前記受光センサに出射されることを特徴とする撮像装置。
【請求項４】
請求項１に記載の撮像装置において、
前記所定の遮光手段は、
前記撮像装置内に設けられ、前記外光が遮断される遮光状態と、非遮光状態との切替えが可能なシャッター手段、
として構成されることを特徴とする撮像装置。
【請求項５】
請求項１に記載の撮像装置において、
前記受光センサは、前記ファインダ窓の近傍に設けられており、
前記接近検知手段では、前記ファインダ窓に関する接眼が検知されることを特徴とする撮像装置。
【請求項６】
請求項１に記載の撮像装置において、
前記受光センサは、前記撮像装置におけるグリップ部に設けられており、
前記接近検知手段では、前記グリップ部に対しての把持が検知されることを特徴とする撮像装置。
【発明の詳細な説明】
【技術分野】
【０００１】
本発明は、リモートコントローラからの遠隔操作が可能な撮像装置に関する。
【背景技術】
【０００２】
デジタル一眼レフカメラなどの撮像装置では、一般に被写体を確認するための光学ファインダが設けられている。このような光学ファインダにおいては、リモコンを用いた撮影を行う場合などにはファインダ窓から撮影者の眼が離れるため、太陽光の下などではファインダー窓からの逆入光が極端に多くなって測光性能等に悪影響を与えてしまうという問題がある。この問題に対しては、逆入光の遮断が可能なアイピースキャップをファインダー窓に装着する対策がある(特許文献１参照)。
【０００３】
一方、ファインダ窓の近傍に接眼検知部が設けられた撮像装置が商品化されている。この接眼検知部は、発光素子と受光素子とを備えており、発光素子から発せられた赤外光が人間の顔で反射し受光素子で検出された場合に接眼が検知される。
【０００４】
このような接眼検知部の受光素子を利用してリモコンから発せられる赤外光（以下では「リモコン光」ともいう）を検出する撮像装置も提案されている。例えば特許文献２に開示される撮像装置では、移動導光部材を移動させることにより、接眼検知部の受光素子に関する接眼検知とリモコン光の検出との使用切替えを行うようになっている。
【０００５】
【特許文献１】特開平１−２８７５４１号公報
【特許文献２】実開平４−９６７２７号公報
【発明の開示】
【発明が解決しようとする課題】
【０００６】
しかしながら、上記特許文献２の撮像装置では、リモコン光の検出と接眼検知（物体の接近検知）とに関する受光素子（受光センサ）の使用切替えを行う際には撮影者が移動導光部材を移動させなければならいため、その移動を忘れると、撮像装置の適正な動作が行えないこととなる。例えば受光素子をリモコン光の検出に使用し集合写真を撮影した後、移動導光部材の移動を行わずに通常の撮影を行おうとしても接眼検知部での接眼検知が行われない。以上のような移動導光部材による受光素子の使用切替えでは、的確な切替えを行えず、撮影者にとって不便である。
【０００７】
一方、上述のようにリモコン操作によって撮影を行う場合には、例えばアイピースキャップがファインダー窓に装着されることとなるが、このアイピースキャップの装着の有無に連動して上記の受光素子の使用切替えを行えれば、的確な切替えを行える可能性がある。
【０００８】
本発明は、上記課題に鑑みてなされたものであり、リモコンからの光の検出と物体の接近検知とに関する受光センサの使用切替えを的確に行える撮像装置を提供することを目的とする。
【課題を解決するための手段】
【０００９】
本発明の１つの側面は、リモートコントローラからの遠隔操作が可能な撮像装置であって、(a)前記リモートコントローラに設けられた光源から前記遠隔操作に係る光として射出される第１の光の検出が可能な受光センサと、(b)前記受光センサの近傍に設けられた光源から射出される第２の光に係る反射光の検出を前記受光センサで行わせることにより、前記受光センサに対する物体の接近を検知する接近検知手段と、(c)撮影光学系を通った被写体光像をファインダ窓に導く光学ファインダ手段と、(d)前記ファインダ窓から前記撮像装置内に進入する外光が所定の遮光手段により遮断されている遮光状態か否かを判定する遮光判定手段と、(e)前記遮光判定手段において前記遮光状態であると判定される場合には、前記受光センサを前記第１の光に係る検出に使用する一方、前記遮光判定手段において前記遮光状態でないと判定される場合には、前記受光センサを前記第２の光に係る検出に使用する使用切替制御手段とを備えることを特徴とする。
【発明の効果】
【００１０】
本発明によれば、ファインダ窓から撮像装置内に進入する外光が所定の遮光手段により遮断されている遮光状態か否かを判定する遮光判定手段において遮光状態であると判定される場合には、リモートコントローラに設けられた光源から遠隔操作に係る光として射出される第１の光の検出に受光センサを使用する一方、遮光判定手段において遮光状態でないと判定される場合には、受光センサの近傍に設けられた光源から射出される第２の光に係る反射光の検出に受光センサを使用して受光センサに対する物体の接近を検知する。その結果、リモートコントローラからの光の検出と物体の接近検知とに関する受光センサの使用切替えを的確に行える。
【発明を実施するための最良の形態】
【００１１】
＜第１実施形態＞
＜撮像装置の構成＞
図１は、本発明の第１実施形態に係る撮像装置１Ａの要部構成を示す斜視図である。この撮像装置１Ａは、レンズ交換式一眼レフレックスタイプのデジタルカメラとして構成されている。
【００１２】
撮像装置１Ａは、カメラ本体部（カメラボディ）２Ａを備えている。このカメラ本体部２Ａに対して、交換式の撮影レンズユニット（交換レンズ）３が着脱可能である。
【００１３】
撮影レンズユニット３は、主として鏡胴ならびに、鏡胴の内部に設けられるレンズ群３７（図４参照）及び絞り等によって構成される。撮影光学系として機能するレンズ群３７には、光軸方向に移動することによって焦点位置を変更するフォーカスレンズ等が含まれている。
【００１４】
カメラ本体部２Ａは、撮影レンズユニット３が装着される円環状のマウント部を正面略中央に備えている。
【００１５】
また、カメラ本体部２Ａは、その背面右上部にモード設定ダイヤル８２を備え、その背面左上部に制御値設定ダイヤル８６を備えている。モード設定ダイヤル８２を操作することによって、カメラの各種モード（各種撮影モード（人物撮影モード、風景撮影モード、およびフルオート撮影モード等）、撮影した画像を再生する再生モード、および外部機器との間でデータ交信を行う通信モード等を含む）の設定動作（切替動作）を行うことが可能である。また、制御値設定ダイヤル８６を操作することによれば、各種撮影モードにおける制御値を設定することが可能である。
【００１６】
また、カメラ本体部２Ａは、正面左端部に撮影者が把持するためのグリップ部１４を備えている。グリップ部１４の上面には露光開始を指示するためのレリーズボタン１１が設けられている。また、グリップ部１４の内部には電池収納室とカード収納室とが設けられている。電池収納室にはカメラの電源として、例えば単３形乾電池が収納されており、カード収納室には撮影画像の画像データを記録するためのメモリカード９０（図４参照）が着脱可能に収納されるようになっている。
【００１７】
レリーズボタン１１は、半押し状態（Ｓ１状態）と全押し状態（Ｓ２状態）の２つの状態を検出可能な２段階検出ボタンである。このレリーズボタン１１が半押しされＳ１状態になると、被写体に関する記録用静止画像（本撮影画像）を取得するための準備動作（例えば、ＡＦ制御動作およびＡＥ制御動作等）が行われる。なお、この準備動作については、後述の接眼検知部１５により接眼が検知された場合に実施しても良い。レリーズボタン１１が押し込まれてＳ２状態になると、本撮影画像の撮影動作（撮像素子５（後述）を用いて被写体像（被写体の光像）に関する露光動作を行い、その露光動作によって得られた画像信号に所定の画像処理を施す一連の動作）が行われる。
【００１８】
カメラ本体部２Ａは、背面略中央上部にカメラ本体部２Ａの背面から凸設された接眼部１７を備えている。この接眼部１７は、ファインダ窓（接眼窓）１０と、ファインダ窓１０の下方近傍に配設された接眼検知部１５とを有している。
【００１９】
ファインダ窓１０を撮影者が覗くことによって、撮影レンズユニット３から導かれた被写体の光像を視認して構図決定を行うことができる。すなわち、レンズ群３７(図４参照)を通った被写体光像をファインダ窓１０に導く光学ファインダを用いて、撮影者の構図決め動作が可能となる。
【００２０】
接眼検知部１５は、赤外光を発する発光素子１５１と受光素子(受光センサ)１５２とを備えている。この接眼検知部１５では、図２に示すように受光素子１５２の近傍に設けられた発光素子(光源)１５１から射出される赤外光(第２の光)ＩＲに係る反射光の検出を受光素子１５２で行わせることにより、ファインダ窓１０に関する接眼の検知、つまりファインダ窓１０の近傍に設けられた受光素子１５２に対する撮影者の眼(物体)Ｅｙの接近を検知できる。
【００２１】
以上のような接眼部１７は、撮影者の眼などがファインダ窓１０に直接接触するのを防止するアイピース９１を図３のように装着することが可能である。具体的には、図１に示すように接眼部１７において左右の側面に設けられた２つの溝１７ｇに、アイピース９１に設けられた２つのリブ９ｒが嵌合できる構成となっている。このような構成により接眼部１７にアイピース９１を着脱自在に装着できる。
【００２２】
接眼検知部１５の右方には、後述するアイピースキャップ７Ａ(図５参照)が接眼部１７に装着されたことを検出するアイピースキャップ検出スイッチ(以下では単に「検出スイッチ」ともいう)１６が配設されている。この検出スイッチ１６は、上から押し込まれた状態(押下状態)Ｐａ(図６参照)と、押し込まれていない状態(不押下状態)Ｐｂ(図３)との切替えが可能である。そして、押下状態Ｐａでは検出スイッチ１６のオンが検出され、不押下状態Ｐｂでは検出スイッチ１６のオフが検出される。例えば、図３のように撮像装置１Ａにアイピース９１が装着された場合には、検出スイッチ１６が不押下状態Ｐｂとなるためオフが検出される。
【００２３】
カメラ本体部２Ａの背面の略中央には、背面モニタ１２が設けられている。この背面モニタ１２は、例えばカラー液晶ディスプレイ（ＬＣＤ）として構成されており、撮影条件等を設定するためのメニュー画面を表示したり、再生モードにおいてメモリカード９０に記録された撮影画像を再生表示したりすることができる。
【００２４】
背面モニタ１２の左上部にはメインスイッチ８１が設けられている。メインスイッチ８１は２点スライドスイッチからなり、接点を左方の「ＯＦＦ」位置に設定すると、電源がオフになり、接点の右方の「ＯＮ」位置に設定すると、電源がオンになる。
【００２５】
背面モニタ１２の右側には方向選択キー８４が設けられている。この方向選択キー８４は円形の操作ボタンを有し、この操作ボタンにおける上下左右の４方向の押圧操作と、右上、左上、右下及び左下の４方向の押圧操作とが、それぞれ検出されるようになっている。なお、方向選択キー８４は、上記８方向の押圧操作とは別に、中央部のプッシュボタンの押圧操作も検出されるようになっている。
【００２６】
背面モニタ１２の左側には、メニュー画面の設定、画像の削除などを行うための複数のボタンからなる設定ボタン群８３が設けられている。
【００２７】
次に、図４を参照しながら、撮像装置１Ａの機能の概要について説明する。図４は、撮像装置１Ａの機能構成を示すブロック図である。
【００２８】
図４に示すように、撮像装置１Ａは、操作部８０、全体制御部１０１、フォーカス制御部１２１、ミラー制御部１２２、シャッタ制御部１２３、タイミング制御回路１２４、およびデジタル信号処理回路５０等を備える。
【００２９】
操作部８０は、レリーズボタン１１（図１参照）を含む各種ボタンおよびスイッチ等を備えて構成される。操作部８０に対する撮影者の入力操作に応答して、全体制御部１０１が各種動作を実現する。
【００３０】
全体制御部１０１は、マイクロコンピュータとして構成され、主にＣＰＵ、メモリ、及びＲＯＭ等を備える。全体制御部１０１は、ＲＯＭ内に格納されるプログラムを読み出し、当該プログラムをＣＰＵで実行することによって、各種機能を実現する。例えば、全体制御部１０１は、ＡＦモジュール２０およびフォーカス制御部１２１等と協働して、フォーカスレンズの位置を制御する合焦制御動作を行う。また、全体制御部１０１は、ＡＦモジュール２０によって検出される被写体の合焦状態に応じて、フォーカス制御部１２１を用いてＡＦ動作を実現する。なお、ＡＦモジュール２０は、ミラー機構６によって導かれた被写体からの光を用いて、位相差方式等の合焦状態検出手法により被写体の合焦状態を検出することが可能である。
【００３１】
フォーカス制御部１２１は、全体制御部１０１から入力される信号に基づいて制御信号を生成しモータＭ１を駆動することによって、撮影レンズユニット３のレンズ群３７に含まれるフォーカスレンズを移動する。また、フォーカスレンズの位置は、撮影レンズユニット３のレンズ位置検出部３９によって検出され、フォーカスレンズの位置を示すデータが全体制御部１０１に送られる。このように、フォーカス制御部１２１および全体制御部１０１等は、フォーカスレンズの光軸方向の動きを制御する。
【００３２】
ミラー制御部１２２は、ミラー機構６が光路から退避した状態（ミラーアップ状態）とミラー機構６が光路を遮断した状態（ミラーダウン状態）との状態切替を制御する。ミラー制御部１２２は、全体制御部１０１から入力される信号に基づいて制御信号を生成しモータＭ２を駆動することによって、ミラーアップ状態とミラーダウン状態とを切り替える。
【００３３】
シャッタ制御部１２３は、全体制御部１０１から入力される信号に基づいて制御信号を生成しモータＭ３を駆動することによって、シャッタ４の開閉を制御する。
【００３４】
タイミング制御回路１２４は、撮像素子５等に対するタイミング制御を行う。
【００３５】
撮像素子（例えばＣＭＯＳセンサ）５は、光電変換作用により被写体の光像を電気的信号に変換して、本撮影画像に係る画像信号（記録用の画像信号）を生成する。
【００３６】
撮像素子５は、タイミング制御回路１２４から入力される駆動制御信号（蓄積開始信号および蓄積終了信号）に応答して、受光面に結像された被写体像の露光（光電変換による電荷蓄積）を行い、当該被写体像に係る画像信号を生成する。また、撮像素子５は、タイミング制御回路１２４から入力される読出制御信号に応答して、当該画像信号を信号処理部５１へ出力する。また、タイミング制御回路１２４からのタイミング信号（同期信号）は、信号処理部５１及びＡ／Ｄ（アナログ／デジタル）変換回路５２にも入力される。
【００３７】
撮像素子５で取得された画像信号は、信号処理部５１において所定のアナログ信号処理が施され、当該アナログ信号処理後の画像信号はＡ／Ｄ変換回路５２によってデジタル画像データ（画像データ）に変換される。この画像データは、デジタル信号処理回路５０に入力される。
【００３８】
デジタル信号処理回路５０は、Ａ／Ｄ変換回路５２から入力される画像データに対してデジタル信号処理を行い、撮像画像に係る画像データを生成する。デジタル信号処理回路５０は、黒レベル補正回路５３、ホワイトバランス（ＷＢ）回路５４、γ補正回路５５及び画像メモリ５６を備える。
【００３９】
黒レベル補正回路５３は、Ａ／Ｄ変換回路５２が出力した画像データを構成する各画素データの黒レベルを基準の黒レベルに補正する。ＷＢ回路５４は、画像のホワイトバランス調整を行う。γ補正回路５５は、撮像画像の階調変換を行う。画像メモリ５６は、生成された画像データを一時的に記憶するための、高速アクセス可能な画像メモリであり、複数フレーム分の画像データを記憶可能な容量を有する。
【００４０】
本撮影の際には、画像メモリ５６に一時記憶される画像データは、全体制御部１０１において適宜画像処理（圧縮処理等）が施された後、カードＩ／Ｆ１３２を介してメモリカード９０に記憶される。
【００４１】
また、画像メモリ５６に一時記憶される画像データは、全体制御部１０１によって適宜ＶＲＡＭ１３１に転送され、背面モニタ１２に画像データに基づく画像が表示される。これによって、撮影画像を確認するための確認表示（アフタービュー）、および撮影済みの画像を再生する再生表示等が実現される。
【００４２】
撮像装置１Ａは、通信用Ｉ／Ｆ１３３を有しており、当該インターフェイス１３３の接続先の機器（例えば、パーソナルコンピュータ等）とデータ通信をすることが可能である。
【００４３】
また、撮像装置１Ａは、フラッシュ４１、フラッシュ制御回路４２、およびＡＦ補助光発光部４３を備えている。フラッシュ４１は、被写体の輝度不足時等に利用される光源である。フラッシュの点灯の有無および点灯時間等は、フラッシュ制御回路４２および全体制御部１０１等によって制御される。ＡＦ補助光発光部４３は、ＡＦ用の補助光源である。ＡＦ補助光発光部４３の点灯の有無および点灯時間等は、全体制御部１０１等によって制御される。
【００４４】
＜アイピースキャップの構成＞
撮像装置１Ａにおいては、接眼部１７に対して上述したアイピース９１(図１)を装着できるとともに、ファインダ窓１０から外光がカメラ本体部２Ａの内部に侵入しないようにファインダ窓１０を遮光するアイピースキャップ７Ａも装着できる構成となっている。このアイピースキャップ７Ａの構成について、以下で説明する。
【００４５】
図５は、アイピースキャップ７Ａの要部構成を示す斜視図である。
【００４６】
アイピースキャップ７Ａは、撮像装置１Ａに対して着脱可能でファインダ窓１０を外部から覆う外付けの遮光部として構成されており、ファインダ窓１０からカメラ本体部２Ａ内に入る外光がカメラ本体部２Ａの内部に設けられた測光部まで到達し測光性能に悪影響を与えないようにファインダ窓１０を遮光する機能を有している。
【００４７】
アイピースキャップ７Ａには、その下部に接眼部１７を収納する凹部７ｐが設けられている。この凹部７ｐは、アイピース９１のリブ９ｒに対応し、接眼部１７の溝１７ｇ（図１）に嵌合可能な２つのリブ７ｒを備えている。そして、アイピースキャップ７Ａが接眼部１７に装着された場合には、図６に示すようにアイピースキャップ７Ａによって検出スイッチ１６が押し込まれるため検出スイッチ１６は押下状態Ｐｂとなる。よって、検出スイッチ１６が押下状態Ｐｂか否かを判断することで、ファインダ窓１０から撮像装置１Ａ内に進入する外光がアイピースキャップ７Ａにより遮断されている遮光状態か否かの判定を行える。
【００４８】
また、アイピースキャップ７Ａは、Ｌ字状に屈曲した中空の筐体７０を備えるとともに、その上部および下部に光線が入出射する入射窓７１および出射窓７２が設けられている。これらの入射窓７１および出射窓７２には、少なくとも赤外線を透過できる透光性の部材(例えばガラス部材)が嵌め込まれている。また、アイピースキャップ７Ａには、その屈曲部外側における筐体７０の内壁に光線を反射するミラーとしての反射板７３が配設されている。この反射板７３により、入射窓７１から入射した光を出射窓７２に導く光学系が形成される。
【００４９】
このような構成のアイピースキャップ７Ａが撮像装置１Ａに装着された場合には、撮像装置１Ａ前方のリモートコントローラ(以下では「リモコン」と略称する)から射出された赤外光を接眼検知部１５の受光素子１５２で受光できることとなる。具体的には、図７に示すように入射窓７１からアイピースキャップ７Ａの内部に入射したリモコン９０からの赤外光ＬＢが、反射板７３で反射され出射窓７２から撮像装置１Ａの受光素子１５２に出射される。これにより、撮像装置１Ａの正面側からリモコン９０による遠隔操作が可能となる。なお、受光素子１５２で受光するリモコン９０からの赤外光ＬＢに対しては、フィルタ処理等の信号加工処理を施さず、受光した赤外光ＬＢそのものを遠隔操作に関する光信号として取り扱う。
【００５０】
以上のようなアイピースキャップ７Ａが装着可能な撮像装置１Ａの動作について、以下で説明する。
【００５１】
＜撮像装置１Ａの動作＞
接眼部１７にアイピースキャップ７Ａが装着された撮像装置１Ａでは、図７のようにリモコン９０に設けられた光源から遠隔操作に係る光として射出される赤外光（第１の光）ＬＢを接眼検知部１５の受光素子１５２で検出できる。そして、受光素子１５２で受光した赤外光ＬＢから操作信号（制御信号）を検出すれば、受光素子１５２を介してリモコン９０から撮像装置１Ａを遠隔操作できることとなる。例えば図８に示すように三脚ＴＦが取り付けられた撮像装置１Ａの前方にいる人物ＨＭを撮影する場合には、リモコン９０上に設けられたボタン(カメラ本体部２上に設けられたレリーズボタン１１に相当するもの)９９を人物ＨＭが操作することによりリモコン９０から発せられた赤外光ＬＢがアイピースキャップ７Ａの内部を通って受光素子１５２に届くため、撮像装置１Ａの撮影動作を開始できる。
【００５２】
ただし、この受光素子１５２については、図３のようにアイピース９１を装着した撮像装置１Ａにおいてリモコン撮影以外の通常撮影等を行う場合には接眼検知機能が必要となるため、接眼検知部１５の発光素子１５１から発せられる赤外光ＩＲ(図２)の検出に使用しなければならない。
【００５３】
そこで、撮像装置１Ａにおいては、受光素子１５２を接眼検知に使用する接眼検知モードと、受光素子１５２をリモコン９０からの赤外光ＬＢの検出に使用するリモコンモードとの切替えを、上述した検出スイッチ１６を用い自動的に行うようにしている。すなわち、接眼部１７にアイピース９１が装着されると図３のように検出スイッチ１６は不押下状態Ｐｂとなるが、このように検出スイッチ１６のオフが検出される場合には接眼検知モードが設定される。一方、接眼部１７にアイピースキャップ７Ａが装着されると図６のように検出スイッチ１６は押下状態Ｐａとなるが、このように検出スイッチ１６のオンが検出される場合にはリモコン検知モードが設定される。
【００５４】
以上のような動作を行う撮像装置１Ａでは、アイピースキャップ７Ａの装着によりファインダ窓１０から進入する外光が遮断されている遮光状態であると検出スイッチ１６のオン信号に基づき全体制御部１０１で判定される場合には、受光素子１５２をリモコン９０からの赤外光(第１の光)に係る検出に使用する一方、検出スイッチ１６のオフ信号に基づき全体制御部１０１において遮光状態でないと判定される場合には、受光素子１５２を接眼検知部１５の発光素子１５１から発せられた赤外光(第２の光)に係る検出に使用する。その結果、リモコン９０からの赤外光の検出と接眼検知とに関する受光素子１５２の使用切替えを的確に行えることとなる。そして、リモコン９０からの遠隔操作を行う際には、アイピースキャップ７Ａの装着が行われるため、ファインダ窓１０から進入する外光を確実に遮断できる。
【００５５】
＜第２実施形態＞
図９は、本発明の第２実施形態に係る撮像装置１Ｂの要部構成を示す斜視図である。
【００５６】
撮像装置１Ｂは、第１実施形態の撮像装置１Ａと類似の外観構成を有しているが、カメラ本体部における検出スイッチ１６の位置が異なっている。
【００５７】
すなわち、撮像装置１Ｂのカメラ本体部２Ｂにおいては、第１実施形態の検出スイッチ１６の設置位置(図１参照)より接眼部１７に近い位置に検出スイッチ１６が設けられている。より詳しくは、接眼検知部１５の受光素子１５２に対して右斜め上方に検出スイッチ１６が配設されている。
【００５８】
このような位置に検出スイッチ１６が配設されるため、アイピース９２を接眼部１７に装着する際に検出スイッチ１６が押し込まれないように、逃げ部としての縦溝９ｇがアイピース９２の背面に形成されている。この縦溝９ｇにより、図１０に示すようにアイピース９２が接眼部１７に装着された場合でも検出スイッチ１６は不押下状態Ｐｂとなる。
【００５９】
以上のような外観構成を有する撮像装置１Ｂにおいては、図４に示す第１実施形態の撮像装置１Ａと同様の機能構成を有している。
【００６０】
＜アイピースキャップの構成＞
撮像装置１Ｂにおいては、第１実施形態のアイピースキャップ７Ａと異なるアイピースキャップ７Ｂを接眼部１７に装着可能な構成となっている。このアイピースキャップ７Ｂの構成について、以下で説明する。
【００６１】
図１１および図１２は、アイピースキャップ７Ｂを説明するための図である。
【００６２】
アイピースキャップ７Ｂは、撮像装置１Ｂに対して着脱可能でファインダ窓１０を外部から覆う外付けの遮光部として構成されており、図１２に示すようにアイピースキャップ７Ｂの下部には接眼部１７を収納する凹部７ｑ(図１１)が設けられている。この凹部７ｑは、アイピース９２のリブ９ｒ(図９)に対応し、接眼部１７の溝１７ｇに嵌合可能な２つのリブ７ｓを備えている。そして、アイピースキャップ７Ｂが接眼部１７に装着された場合には、図１２に示すようにアイピースキャップ７Ｂによって検出スイッチ１６が押し込まれるため検出スイッチ１６は押下状態Ｐｂとなる。なお、アイピースキャップ７Ｂが接眼部１７に装着された場合には、ファインダ窓１０の遮光は行われるものの接眼検知部１５は遮光されないようになっている。
【００６３】
＜撮像装置１Ｂの動作＞
上述したアイピースキャップ７Ｂの装着が可能な撮像装置１Ｂにおいては、第１実施形態と同様の動作が行われる。
【００６４】
すなわち、接眼部１７にアイピース９２が装着されると図１０のように検出スイッチ１６は不押下状態Ｐｂとなるが、このように検出スイッチ１６のオフが検出される場合には接眼検知モードが設定される。一方、接眼部１７にアイピースキャップ７Ｂが装着されると図１２のように検出スイッチ１６は押下状態Ｐａとなるが、このように検出スイッチ１６のオンが検出される場合にはリモコンモードが設定される。
【００６５】
このリモコンモードでは、第１実施形態のように撮像装置前方からのリモコン操作は行えないものの、撮像装置後方からのリモコン操作が可能である。例えば図１３に示すように三脚ＴＦが取り付けられた撮像装置１Ｂの前方にある被写体(例えば花)ＦＷをマクロ撮影する場合には、リモコン９０上のボタン９９を撮影者が操作することによりリモコン９０から発せられた赤外光ＬＢがアイピースキャップ７Ｂに覆われていない受光素子１５２に届くため、撮像装置１Ｂの撮影動作を開始できる。
【００６６】
以上のような動作を行う撮像装置１Ｂにおいては、第１実施形態の撮像装置１Ａと同様の効果を発揮する。また、撮像装置１Ｂでは、アイピース９２に縦溝９ｇを設けることで検出スイッチ１６の位置を接眼部１７に近づけているため、第１実施形態よりアイピースキャップの小型化が図れる。
【００６７】
＜変形例＞
・上記の第１実施形態におけるアイピースキャップについては、図７に示すように撮像装置の正面側に設けた入射窓７１から入射した赤外光ＬＢを出射窓７２に導くのは必須でなく、撮像装置の正面側と異なる方向に入射窓を設け、その入射窓から入射した赤外光を導光管や反射板などの光学系によって出射窓に導くようにしても良い。例えば、図１４に示すアイピースキャップ７Ｃのように、撮像装置の左右側に２つの入射窓７４、７５を設け、各入射窓７４、７５から入射した赤外光ＬＢ１、ＬＢ２を反射板７７〜７９によって出射窓７６に導くようにすれば、撮像装置の左方または右方からのリモコン操作が可能となる。
【００６８】
・上記の各実施形態においては、接眼部に着脱自在なアイピースキャップによりファインダ窓から入る外光の遮光を行うのは必須でなく、撮像装置の内部（例えばファインダ窓の後方付近）に設けられたシャッター手段としてのアイピースシャッタによって遮光を行っても良い。具体的には、図１５(ａ)に示すようにファインダ窓１０からの外光を遮らない開状態(非遮光状態)８ａと、図１５(ｂ)に示すようにファインダ窓１０からの外光を遮断する閉状態(遮光状態)８ｂとの切替えが可能なアイピースシャター８を用いて遮光を行うようにしても良い。この場合には、アイピースシャタ８が開状態８ａと判定される際に接眼検知モードが設定される一方、アイピースシャタ８が閉状態８ｂと判定される際にリモコンモードが設定される。なお、このリモコンモードでは、第２実施形態と同様に撮像装置後方からのリモコン操作が可能である。
【００６９】
・上記の各実施形態においては、リモコンからの赤外光を接眼検知部１５で検出するのは必須でなく、グリップ部が撮影者によって把持されたことを検知する把持検知部でリモコンからの赤外光を検出するようにしても良い。具体的には、図１６に示すように発光素子４４１と受光素子４４２とを有する把持検知部４４において、撮像装置前方のリモコンから射出された赤外光を受光素子４４２で検出するようにする。この場合にも、アイピースキャップ検出スイッチ１６の検出結果に応じて、把持検出部４４の受光素子４４２におけるリモコンからの赤外光の検出と、グリップ部１４に対しての把持検知との使用切替えが行われることとなる。
【００７０】
・上記の各実施形態におけるリモコンや接眼検知部については、赤外領域の波長の光を射出するのは必須でなく、他の波長の光を射出するようにしても良い。
【００７１】
・上記の各実施形態においては、アイピースキャップ装着の有無を検出スイッチ１６でメカ的に検出するのは必須でなく、電気・磁気的に検出するようにしても良い。
【図面の簡単な説明】
【００７２】
【図１】本発明の第１実施形態に係る撮像装置１Ａの要部構成を示す斜視図である。
【図２】接眼検知部１５における接眼検知の原理を説明するための図である。
【図３】アイピース９１が装着された撮像装置１Ａを示す図である。
【図４】撮像装置１Ａの機能構成を示すブロック図である。
【図５】アイピースキャップ７Ａの要部構成を示す斜視図である。
【図６】アイピースキャップ７Ａが装着された撮像装置１Ａを示す図である。
【図７】リモコン９０からの赤外光ＬＢがアイピースキャップ７Ａの内部を通って受光素子１５２に到達することを説明するための図である。
【図８】アイピースキャップ７Ａが装着された撮像装置１Ａに対してのリモコン操作を説明するための図である。
【図９】本発明の第２実施形態に係る撮像装置１Ｂの要部構成を示す斜視図である。
【図１０】アイピース９２が装着された撮像装置１Ｂを示す図である。
【図１１】アイピースキャップ７Ｂを説明するための図である。
【図１２】アイピースキャップ７Ｂを説明するための図である。
【図１３】アイピースキャップ７Ｂが装着された撮像装置１Ｂに対してのリモコン操作を説明するための図である。
【図１４】本発明の変形例に係るアイピースキャップ７Ｃを説明するための図である。
【図１５】アイピースシャタ８の動作を説明するための図である。
【図１６】把持検知部４４の受光素子４４２によるリモコン光の検出を説明するための図である。
【符号の説明】
【００７３】
１Ａ、１Ｂ  撮像装置
２Ａ、２Ｂ  カメラ本体部(カメラボディ)
３  撮影レンズユニット(交換レンズ)
５  撮像素子
７Ａ〜７Ｃ  アイピースキャップ
８  アイピースシャッタ
９ｇ  アイピースの縦溝
１０  ファインダ窓
１１  レリーズボタン
１５  接眼検知部
１６  アイピースキャップ検出スイッチ(検出スイッチ)
１７  接眼部
４４  把持検知部
７１、７４、７５  入射窓
７２、７６  出射窓
７３、７７〜７９  反射板
９０  リモコン
９１、９２  アイピース
１０１  全体制御部
１５１、４４１  発光素子
１５２、４４２  受光素子
【図１】
2009020328.tif 000003
【図２】
2009020328.tif 000004
【図３】
2009020328.tif 000005
【図４】
2009020328.tif 000006
【図５】
2009020328.tif 000007
【図６】
2009020328.tif 000008
【図７】
2009020328.tif 000009
【図８】
2009020328.tif 000010
【図９】
2009020328.tif 000011
【図１０】
2009020328.tif 000012
【図１１】
2009020328.tif 000013
【図１２】
2009020328.tif 000014
【図１３】
2009020328.tif 000015
【図１４】
2009020328.tif 000016
【図１５】
2009020328.tif 000017
【図１６】
2009020328.tif 000018